(57)【特許請求の範囲】
【請求項１】
少なくとも背みごろを有する衣服中に、衣服の全周を帯状に横断する着丈調節部分を２箇所配すると共に、上記各着丈調節部分の全長を異なる寸法に設定し、衣服の着丈方向に各着丈調節部分を折り畳んだ状態で着丈調節部分の長さを固定するための係止部材を設けたことを特徴とする愛玩動物用衣服。
【請求項２】
着丈調節部分を折り畳んだ状態で着丈調節部分の長さを固定するための係止部材は、着丈調節部分の前端と後端を固定するように設けられる請求項１記載の愛玩動物用衣服。
【請求項３】
着丈調節部分を折り畳んだ状態で着丈調節部分の長さを固定するための係止部材は、着丈調節部分の前端に対し中途又は後端を固定するように設けられる請求項１記載の愛玩動物用衣服。
【請求項４】
着丈調節部分を複数箇所配する場合に、各着丈調節部分の全長を異なる寸法に設定した請求項１から３の何れかに記載の愛玩動物用衣服。
【請求項５】
衣服は犬の背部、側胴部、腹部を覆う前みごろ及び背みごろを備えた犬用の衣服である請求項１から４の何れかに記載の愛玩動物用衣服。
【請求項６】
衣服は犬の背部及び側胴部を覆う背みごろを備えた犬用の衣服である請求項１から４の何れかに記載の愛玩動物用衣服。
【発明の詳細な説明】
【０００１】
【発明の属する技術分野】
この発明は犬や猫等の愛玩動物用の衣服に関する。
【０００２】
【従来の技術】
犬や猫等の愛玩動物に人間と同じような衣服を着用させることが行われており、そのための各種の衣服が公知である。これらの衣服は動物の背部を覆う背みごろのみからなるレインコート状のものから、側胴部、腹部、四肢を覆う前みごろや袖まで備えるつなぎ服状のものまで多種存する。
【０００３】
【発明が解決しようとする課題】
ところで、犬を例にとれば犬種によって小型犬から大型犬までその体長はさまざまであり、その差は人間とは比較にならないほど大きい。よって、衣服もさまざまな大きさのものを揃えなくてはならず、例えばレインコートの場合Ｓ、Ｍ、Ｌ、２Ｌ、３Ｌ、４Ｌ、５Ｌ、６Ｌ、７Ｌといったように実に９サイズを揃えているのが現状であった。
【０００４】
従って、製造者は一種類の衣服につき多サイズのものを製造しなくてはならないので製造コストが嵩み、又、販売者は多サイズの衣服を揃えなくてはならないので在庫が多くなり仕入れコストが嵩み、又、保管、陳列スペースも嵩む問題があった。
【０００５】
一方、犬の生育速度は人間に比べて早いので、成長途中の犬の場合は衣服のサイズがまたたくまに適合しなくなり、需要者はその都度衣服をより大きなものに買い換えなくてはならない不経済さを甘受していた。
【０００６】
【課題を解決するための手段】
この発明は以上の従来技術の問題点に鑑みて創作されたものであり、一つで複数種の着丈に適合することを可能とした愛玩動物用の衣服を提供することを目的とする。即ち、この発明の衣服は少なくとも背みごろを有する衣服中に、衣服の全周を帯状に横断する着丈調節部分を一又は複数箇所配すると共に、衣服の着丈方向に各着丈調節部分を折り畳んだ状態で着丈調節部分の長さを固定するための係止部材を設けたことを特徴とする。
【０００７】
【発明の実施の形態】
以下、この発明の具体的実施例添付図面に基づいて説明する。図１乃至図７はこの発明の衣服の実施例を示す図であり、犬用の衣服を例にとっている。この衣服Ｃはここでは犬Ｄの胴部（背、側胴、胸、腹）を覆う背みごろ２と前みごろ１の他、犬の四肢を覆う前袖３、３と後ろ袖４、４と犬の頭部を覆うフード６を有するつなぎ服状のものを例示している。尚、図中符号５は前みごろ１の合わせ目同士を固定するためのスナップやボタンからなる係止部材である。
【０００８】
図中符号１０、２０はこの発明の特徴部分をなす着丈調節部分である。この着丈調節部分は衣服の全周を帯状に横断するように配されるものであり、所定の長さを有し、この長さに応じて衣服の着丈が調節される。ここでは、着丈調節部分は衣服Ｃの着丈方向に間隔を置いて２箇所（図中符号１０及び２０）配されるが、２箇所以上でも或いは１箇所でもよいことは勿論である。これらの着丈調節部分１０、２０には衣服Ｃの着丈方向に各着丈調節部分を折り畳んだ状態で着丈調節部分の前端及び後端同士を固定するための係止部材１１Ａ及び１１Ｂ、２１Ａ及び２１Ｂが設けられる。これらの係止部材としてここでは雄雌のファスナーを採用しているが、これに限られず例えばベルベットファスナー、ボタン、スナップ、紐等でもよいことは勿論である。
【０００９】
以上の構成よりなるこの発明の衣服Ｃは着丈調節部分を折り畳みにより開閉することにより着丈を可変することができる。図１及び図２は着丈調節部分１０、２０の双方を折り畳まずに開放した状態での使用を示す図であり、この場合は衣服Ｃの着丈は最大となる。
【００１０】
図３及び図４は着丈調節部分２０を折り畳んで係止部材２１Ａ及び２１Ｂの係止により閉じると共に着丈調節部分１０は折り畳まずに開放した状態での使用を示す図であり、この場合は衣服Ｃの着丈は中間となる。
【００１１】
図５乃至図７は着丈調節部分１０、２０の双方を折り畳んでそれぞれ係止部材１１Ａ及び１１Ｂ、２１Ａ及び２１Ｂの係止により閉じた状態での使用を示す図であり、この場合は衣服Ｃの着丈は最小となる。
【００１２】
図９乃至図１２はこの発明の衣服Ｃの着丈調節部分に関する異なる実施例を示す図である。先の実施例においては２箇所の着丈調節部分のそれぞれの全長を等しく設定していたが、この実施例では着丈調節部分６０と７０の全長を異なる寸法に設定している。図９は着丈調節部分６０、７０の双方を折り畳まずに開放した状態での使用を示す図であり、この場合は衣服Ｃの着丈は最大となる。
【００１３】
図１０は全長が長い方の着丈調節部分７０を折り畳んで係止部材７１Ａ及び７１Ｂの係止により閉じると共に全長が短い方の着丈調節部分６０は折り畳まずに開放した状態での使用を示す図であり、この場合は衣服Ｃの着丈は図９の場合より短くなる。
【００１４】
図１１は全長が短い方の着丈調節部分６０を折り畳んで係止部材６１Ａ及び６１Ｂの係止により閉じると共に全長が長い方の着丈調節部分７０は折り畳まずに開放した状態での使用を示す図であり、この場合は衣服Ｃの着丈は図１０の場合より更に短くなる。
【００１５】
図１２は着丈調節部分６０、７０の双方を折り畳んでそれぞれ係止部材６１Ａ及び６１Ｂ、７１Ａ及び７１Ｂの係止により閉じた状態での使用を示す図であり、この場合は衣服Ｃの着丈は最小となる。
【００１６】
以上のようにこの実施例によれば２箇所の着丈調節部分により衣服Ｃの着丈を４段階に調節することが可能となる。
【００１７】
図１３乃至図１５はこの発明の衣服Ｃの着丈調節部分に関する異なる実施例を示す図である。先の実施例においては着丈調節部分の長さを固定するための係止部材は着丈調節部分の前端と後端を固定するように設けられていたが、この実施例においては係止部材は着丈調節部分の前端に対し中途又は後端を固定するように設けられる。即ち、ここでは着丈調節部分８０の前端に係止部材８１Ａが設けられると共に、中途及び後端に上記係止部材８１Ａと係止可能な係止部材８１Ｂ及び８１Ｃが設けられる。
【００１８】
図１３は着丈調節部分８０を開放した状態での使用を示す図であり、この場合は衣服Ｃの着丈は最小となる。
【００１９】
図１４は着丈調節部分８０の前端の係止部材８１Ａと中途の係止部材８１Ｂを係止することにより着丈調節部分を中途まで折り畳んで固定した状態での使用を示す図であり、この場合は衣服Ｃの着丈は中間となる。
【００２０】
図１５は着丈調節部分８０の前端の係止部材８１Ａと後端の係止部材８１Ｃを係止することにより着丈調節部分を完全に折り畳んで固定した状態での使用を示す図であり、この場合は衣服Ｃの着丈は最小となる。
【００２１】
尚、この発明の衣服は以上のつなぎ服状のものに限られないことは勿論である。図８は犬Ｄの背部及び側胴部を覆う背みごろ３１と頭部を覆うフード３６を備えた犬用のレインコートＣを例示するものであり、図中符号４０、５０は２箇所に配された着丈調節部分、同じく４１Ａ及び４１Ｂ、５１Ａ及び５１Ｂはこれらにおける係止部材を指す。
【００２２】
【発明の効果】
以上の構成からなるこの発明によれば、一つの愛玩動物用衣服の着丈が数通りに可変することができるので、製造者は従来のように一種類の衣服につき多サイズのものを製造しなくても済むので製造コストを軽減することが可能となる。又、販売者は多サイズの衣服を揃えなくては済むので在庫を減少でき仕入れコストが軽減し、又、保管、陳列スペースを節約することも可能となる。更に、成長途中の犬の場合は生育に沿って着丈を順次可変することにより、一つの衣服を長期間に渡って使用することが可能となる。
【図面の簡単な説明】
【図１】  この発明の愛玩動物用衣服の正面図。
【図２】  同上、犬に着用させた状態の側面図。
【図３】  この発明の愛玩動物用衣服の着丈を調節した状態の正面図。
【図４】  同上、犬に着用させた状態の側面図。
【図５】  この発明の愛玩動物用衣服の着丈を調節した状態の正面図。
【図６】  同上、犬に着用させた状態の側面図。
【図７】  この発明の愛玩動物用衣服の着丈を調節した状態の背面図。
【図８】  この発明の愛玩動物用衣服の異なる実施例の犬に着用させた状態の側面図。
【図９】  この発明の愛玩動物用衣服の異なる実施例の要部の正面図。
【図１０】  同上、着丈を調節した状態の要部の正面図。
【図１１】  同上、着丈を調節した状態の要部の正面図。
【図１２】  同上、着丈を調節した状態の要部の正面図。
【図１３】  この発明の愛玩動物用衣服の異なる実施例の要部の正面図。
【図１４】  同上、着丈を調節した状態の要部の正面図。
【図１５】  同上、着丈を調節した状態の要部の正面図。
【図１】
0003847640.tif 000002
【図２】
0003847640.tif 000003
【図３】
0003847640.tif 000004
【図４】
0003847640.tif 000005
【図５】
0003847640.tif 000006
【図６】
0003847640.tif 000007
【図７】
0003847640.tif 000008
【図８】
0003847640.tif 000009
【図９】
0003847640.tif 000010
【図１０】
0003847640.tif 000011
【図１１】
0003847640.tif 000012
【図１２】
0003847640.tif 000013
【図１３】
0003847640.tif 000014
【図１４】
0003847640.tif 000015
【図１５】
0003847640.tif 000016